(57)【要約】【課題】  放電灯の放電をグロー放電からアーク放電へ移行させる際に必要な大きな電気エネルギーを低いＤＣ／ＤＣコンバータ出力電圧から得ることを可能にする。【解決手段】  テイクオーバー回路１６において、ブレイクダウン検出回路１６６が放電灯４のブレイクダウンを検出する前は、ＤＣ／ＤＣコンバータ１１により第１のコンデンサ１６２および第２のコンデンサ１６４を並列に充電し、ブレイクダウン検出回路１６６がブレイクダウンを検出したときは、このブレイクダウン検出回路１６６はスイッチング素子１６５をオンし、第１のコンデンサ１６２と第２のコンデンサ１６４とを直列に接続して放電し、放電灯４の放電をグロー放電からアーク放電へ移行させる。【選択図】        図１
2005209410.tif 000002
【特許請求の範囲】
【請求項１】
第１の直流電圧をもとに所定電圧値の第２の直流電圧に昇圧するＤＣ／ＤＣコンバータと、
前記第２の直流電圧を矩形波交流に変換するＨ形ブリッジ回路と、
放電始動時に高電圧パルスを発生し、この高電圧パルスを放電灯の電極間に印加してブレイクダウンさせ、電極間にグロー放電を発生させるイグナイタと、
前記ブレイクダウンを検出する前は複数のコンデンサが前記第２の直流電圧で並列充電され、前記ブレイクダウンを検出したときはこれら複数のコンデンサを直列に接続し、前記Ｈ形ブリッジ回路およびイグナイタを介し前記放電灯へ放電し、前記グロー放電からアーク放電へ移行させるテイクオーバー回路とを備えた放電灯点灯装置。
【請求項２】
第１の直流電圧をもとに所定電圧値の第２の直流電圧に昇圧するＤＣ／ＤＣコンバータと、
前記第１の直流電圧と第２の直流電圧とが加算された第３の直流電圧を矩形波交流に変換するＨ形ブリッジ回路と、
放電始動時に高電圧パルスを発生し、この高電圧パルスを放電灯の電極間に印加してブレイクダウンさせ、電極間にグロー放電を発生させるイグナイタと、
前記ブレイクダウンを検出する前は複数のコンデンサが前記第３の直流電圧で並列充電され、前記ブレイクダウンを検出したときはこれら複数のコンデンサを直列に接続し、前記Ｈ形ブリッジ回路およびイグナイタを介し前記放電灯へ放電し、前記グロー放電からアーク放電へ移行させるテイクオーバー回路とを備えた放電灯点灯装置。
【請求項３】
テイクオーバー回路は、複数のコンデンサと、これらコンデンサ各々と直列に接続した複数の充電用直列抵抗と、前記複数のコンデンサを直列に接続するスイッチング素子と、放電灯のブレイクダウンを検出して前記スイッチング素子をオンするブレイクダウン検出回路からなることを特徴とする請求項１または請求項２記載の放電灯点灯装置。
【請求項４】
テイクオーバー回路は、複数のコンデンサと、これらコンデンサ各々と直列に接続する複数の充電用直列抵抗と、前記複数のコンデンサを直列に接続するスイッチング素子と、放電灯のブレイクダウンを検出するブレイクダウン検出回路と、このブレイクダウン検出回路からの検出信号を受けて前記スイッチング素子を断続させる断続回路とからなることを特徴とする請求項１または請求項２記載の放電灯点灯装置。
【請求項５】
複数のコンデンサを直列に接続するスイッチング素子およびブレイクダウン検出回路に、印加される電圧が特定の電圧に達したときオンする２端子サイリスタを用いたことを特徴とする請求項３または請求項４記載の放電灯点灯装置。
【請求項６】
複数のコンデンサを直列に接続するスイッチング素子およびブレイクダウン検出回路に、スイッチング用のサイリスタと、ブレイクダウンを検出し、このサイリスタをスイッチオンするように駆動する駆動回路とを用いたことを特徴とする請求項３または請求項４記載の放電灯点灯装置。
【請求項７】
複数のコンデンサを直列に接続するスイッチング素子およびブレイクダウン検出回路に、スイッチング用のトランジスタと、ブレイクダウンを検出し、このトランジスタをスイッチオンするように駆動する駆動回路とを用いたことを特徴とする請求項３または請求項４記載の放電灯点灯装置。
【請求項８】
複数のコンデンサを直列に接続するスイッチング素子およびブレイクダウン検出回路に、スイッチング用の電界効果トランジスタと、ブレイクダウンを検出し、この電界効果トランジスタをスイッチオンするように駆動する駆動回路とを用いたことを特徴とする請求項３または請求項４記載の放電灯点灯装置。
【請求項９】
複数のコンデンサを直列に接続するスイッチング素子に電流制限回路を設けたことを特徴とする請求項３から請求項８のうちのいずれか１項記載の放電灯点灯装置。
【請求項１０】
複数のコンデンサは、電解コンデンサからなることを特徴とする請求項１から請求項４のうちのいずれか１項記載の放電灯点灯装置。
【発明の詳細な説明】
【技術分野】
【０００１】
この発明は自動車の前照灯等に使用されるメタルハライドランプ等の放電灯の点灯を制御する放電灯点灯装置に関するものである。
【背景技術】
【０００２】
自動車の前照灯等に使用されるメタルハライドランプまたは屋内外の施設等に使用される蛍光灯等の放電灯の点灯を制御する従来の放電灯点灯装置として例えば以下のものがある。
従来例その１として、蛍光灯等の放電灯を対象とし、この蛍光灯を起動する前は３個のコンデンサを並列にして充電し、蛍光灯起動時にはこれら３個のコンデンサを直列にして放電させ、この放電電圧により蛍光灯を点灯させる。これにより、高い電源電圧を要することなく高い起動電圧が得られ、蛍光灯を点灯することができる（例えば、特許文献１参照）。
【０００３】
また、メタルハライドランプ等の放電灯の点灯においては、従来、この放電灯を点灯始動するために、高電圧パルスを印加することにより放電灯電極間を絶縁破壊してグロー放電を発生させ、平滑コンデンサ（電源回路）および放電抵抗を介することにより時定数を大きくした、コンデンサと抵抗の直列回路からなるテイクオーバー回路を備え、この回路のコンデンサに蓄積した電気エネルギーを放電灯に供給することによりグロー放電からアーク放電へ移行させるようにしていた。この点灯特性の向上を目的としたものとして以下に説明する従来例その２がある。
【０００４】
この従来例その２は、テイクオーバー回路を形成するコンデンサを複数個使用し、大きな電気エネルギーを放電灯へ供給する点を従来例に対する改良点としたものであり、コンデンサを１個使用した従来のテイクオーバー回路と比較した場合、充電時にはコンデンサ２個の直列回路を形成して各コンデンサの耐電圧を従来の１／２に低減することにより各コンデンサの等価直列抵抗値を１／２にする。さらに、放電時には経路を変更してコンデンサ２個の並列回路を形成し、合成等価直列抵抗値を従来の１／４にすることで、単位時間当たりのエネルギー放出量を大きくすることを特徴としている（例えば、特許文献２参照）。
【０００５】
【特許文献１】特開昭６０−２０７２９６号公報
【特許文献２】特開平９−２８３２９８号公報
【発明の開示】
【発明が解決しようとする課題】
【０００６】
従来の放電灯点灯装置は以上のように構成されており、従来例その１については、複数のコンデンサを充電時は並列に接続し、放電時には直列に接続することにより高い放電電圧を得ることを可能にしているが、本技術は主に蛍光灯を対象とし、直流電圧を矩形波交流に変換するＨ形ブリッジ回路や、放電始動時に高電圧パルスを発生し、この高電圧パルスを放電灯の電極間に印加してブレイクダウンさせ、電極間にグロー放電を発生させるイグナイタ等を備えたメタルハライドランプ等の放電灯点灯装置には直ちに適用できるものではない。
【０００７】
また、従来例その２については、コンデンサに蓄えた電荷をそのまま放電する構成であり、大きな電気エネルギーを確保するためにはコンデンサの容量を増大するとともに、点灯前のＤＣ／ＤＣコンバータの出力電圧を高揚する必要があった。
従って、ＤＣ／ＤＣコンバータにかかる負担は大きくなり、充電にも時間を要するという問題があった。また、前記Ｈ形ブリッジ回路等に使用するＦＥＴ（電界効果トランジスタ）の耐電圧も高くせざるを得なかった。このような各部品の耐電圧高揚は部品サイズの拡大が避けられず、コストが高くなるという問題があった。
【０００８】
この発明は上記のような課題を解決するためになされたもので、点灯前の無負荷状態の放電灯に印加するＤＣ／ＤＣコンバータの出力電圧を低下させてサイズを小型化し、この小型化により低コスト化しても、起動時の放電灯電極間のブレイクダウンによる放電がグロー放電からアーク放電に移行する際に十分な電気エネルギーを確保して安定な点灯が行えるようにした放電灯点灯装置を得ることを目的とする。
【課題を解決するための手段】
【０００９】
この発明に係る放電灯点灯装置は、直流電源回路からの直流電圧を矩形波交流に変換するＨ形ブリッジ回路と、放電始動時に高電圧パルスを放電灯の電極間に印加してブレイクダウンさせるイグナイタと、このブレイクダウン検出前は複数のコンデンサが前記直流電圧で並列充電され、ブレイクダウンを検出したときはこれら複数のコンデンサを直列に接続して放電灯へ放電し、放電をグロー放電からアーク放電へ移行させるテイクオーバー回路とを備えたものである。
【発明の効果】
【００１０】
この発明によれば、放電灯のブレイクダウン検出前は複数のコンデンサを並列に接続して充電し、ブレイクダウンを検出したときはこれら複数のコンデンサを直列に接続して放電し、放電灯の放電をグロー放電からアーク放電へ移行させるように構成したので、低い電源電圧であっても放電時には高い電源電圧と等価な大きな電気エネルギーが得られ、これにより、放電がグロー放電からアーク放電へ移行するときに十分な電気エネルギーを放出でき、また、電源電圧を低くしたことにより回路や部品のサイズの小型化および耐電圧を低下することができる。
【発明を実施するための最良の形態】
【００１１】
以下、この発明の実施の一形態を説明する。
実施の形態１．
図１はこの発明の実施の形態１による放電灯点灯装置の全体構成図である。
図１において、この放電灯点灯装置１は、ＤＣ／ＤＣコンバータ１１、Ｈ形ブリッジ回路１２、Ｈ形ブリッジドライバ１３、マイクロコンピュータ（以下、「マイコン」とする）１４、イグナイタ１５およびテイクオーバー回路１６とから構成される。
【００１２】
上記構成において、ＤＣ／ＤＣコンバータ１１は昇圧用のフライバックトランス１１１と、このフライバックトランス１１１の２次巻線側に発生する交流電力を直流に整流および平滑化する整流ダイオード１１２および平滑コンデンサ１１３と、マイコン１４の制御信号に応じてスイッチング動作し、フライバックトランス１１１の１次巻線に流れる電流を制御するパワーＭＯＳ形ＦＥＴ１１４とを備え、バッテリ等の直流電源２から点灯スイッチ３を介し入力される第１の直流電圧（例えば１２Ｖ）を昇圧した第２の直流電圧（例えば２００Ｖ）を発生し出力する。
【００１３】
Ｈ形ブリッジ回路１２は、ＤＣ／ＤＣコンバータ１１の正出力側に配置される第１のＦＥＴ１２１および第２のＦＥＴ１２２と、負出力側に配置される第３のＦＥＴ１２３および第４のＦＥＴ１２４とを備え、交流駆動時には第１のＦＥＴ１２１と第４のＦＥＴ１２４とがオンして第２のＦＥＴ１２２と第３のＦＥＴ１２３とがオフする経路と、第２のＦＥＴ１２２と第３のＦＥＴ１２３とがオンして第１のＦＥＴ１２１と第４のＦＥＴ１２４とがオフする経路を交互にスイッチングするようにＨ形ブリッジドライバ１３により制御される。このような制御を行うＨ形ブリッジドライバ１３はマイコン１４により制御されている。
以上の構成により、Ｈ形ブリッジ回路１２はＤＣ／ＤＣコンバータ１１で発生した第２の直流電圧を矩形波交流に変換している。
【００１４】
イグナイタ１５は、放電始動時に高電圧パルスを発生し、この高電圧パルスを放電灯４の電極間に印加してブレイクダウンさせ、電極間にグロー放電を発生させる。
【００１５】
テイクオーバー回路１６は、ＤＣ／ＤＣコンバータ１１の出力の低電圧側（負出力側）に配置される充電用直列抵抗としての第１の抵抗１６１と、この第１の抵抗１６１を介し充電される第１のコンデンサ１６２と、これら第１の抵抗１６１および第１のコンデンサ１６２と並列であって、ＤＣ／ＤＣコンバータ１１の出力の高電圧側（正出力側）に配置される充電用直列抵抗としての第２の抵抗１６３と、この第２の抵抗１６３を介し充電される第２のコンデンサ１６４と、第１の抵抗１６１と第１のコンデンサ１６２との接続点と第２の抵抗１６３と第２のコンデンサ１６４との接続点とを接続する位置に配置されるスイッチング素子１６５と、放電灯４のブレイクダウンを検出し、この検出信号でスイッチング素子１６５を動作（オン）させるブレイクダウン検出回路１６６とを備えている。
【００１６】
上記第１のコンデンサ１６２および第２のコンデンサ１６４の品種としては、従来より使用しているフィルムコンデンサの他に、低耐電圧のために高電圧出力の回路では使用しにくい充電電荷量の多い電解コンデンサの使用も可能である。
【００１７】
このブレイクダウン検出回路１６６によるブレイクダウン検出前は、第１のコンデンサ１６２および第２のコンデンサ１６４を第２の直流電圧値まで並列に充電し、ブレイクダウンを検出したときはこの検出信号でスイッチング素子１６５をオン（閉）し、第１のコンデンサ１６２および第２のコンデンサ１６４を直列に接続してＨ形ブリッジ回路１２およびイグナイタ１５を介し放電灯４に対し放電し、グロー放電からアーク放電へ移行させる。
このように、このテイクオーバー回路１６は放電灯４がグロー放電からアーク放電へ移行するときに、この放電灯４に対し十分な電気エネルギーを供給している。
【００１８】
次に本発明の基本動作につき、図１および図２を用いて説明する。
図２はテイクオーバー回路１６Ａの回路図であり、図１に示したテイクオーバー回路１６のスイッチング素子１６５およびブレイクダウン検出回路１６６として、２端子サイリスタ（サイダック）１６７を利用したものであり、第１のコンデンサ１６２と第２のコンデンサ１６４との直列接続をこの２端子サイリスタ（サイダック）１６７で行うようにしたものである。なお、図１と同一のものについては同一符号を付してある。
点灯スイッチ３をオンすると、ＤＣ／ＤＣコンバータ１１が動作を開始し、フライバックトランス１１１の２次巻線側に発生した出力は整流ダイオード１１２で整流され、平滑コンデンサ１１３に例えば２００Ｖの平滑電圧が生成される。この平滑電圧はテイクオーバー回路１６Ａ（１６）の第１のコンデンサ１６２と第１の抵抗１６１の経路と、第２の抵抗１６３と第２のコンデンサ１６４の経路に並列に印加され、第１のコンデンサ１６２および第２のコンデンサ１６４は並列に充電される。
【００１９】
上記並列の充電により、第１のコンデンサ１６２および第２のコンデンサ１６４が各々２００Ｖに充電された状態にあるとき、テイクオーバー回路１６Ａの２端子サイリスタ１６７に印加される電圧は２００Ｖである。
イグナイタ１５が高電圧パルスを発生し、放電灯４の電極間にこの高電圧パルスを印加すると放電灯４は電極間でブレークダウンを発生し、グロー放電を開始する。これにより、放電灯４に対して、平滑コンデンサ１１３の充電電荷の放電が始まる。平滑コンデンサ１１３の放電によりＤＣ／ＤＣコンバータ１１の出力電圧が低下する。
【００２０】
ＤＣ／ＤＣコンバータ１１の出力電圧が低下すると、２端子サイリスタ１６７に印加される電圧は上昇し、この電圧が２端子サイリスタ１６７のブレイクダウン電圧を超えると２端子サイリスタ１６７がオンし、第１のコンデンサ１６２の負電極側と第２のコンデンサ１６４の正電極側が接続されて直列回路が形成される。ここで第１のコンデンサ１６２および第２のコンデンサ１６４の直列回路の放電経路は、第１のコンデンサ１６２、放電灯４、第２のコンデンサ１６４、２端子サイリスタ１６７を経て第１のコンデンサ１６２に戻る電位差４００Ｖの放電経路が形成される。このように、第１のコンデンサ１６２および第２のコンデンサ１６４に蓄えられた電荷が加算され、４００Ｖ相当の電気エネルギーを放電灯に供給することができる。
【００２１】
図３は図１の放電灯点灯装置１のタイミング図であり、（ａ），（ｂ），（ｃ）の各図は図１の放電灯点灯装置１に付したＡ，Ｂ，Ｃ各点の電位波形図、（ｄ）図は２端子サイリスタ（サイダック）１６７の印加電位波形図、（ｅ）図は第１のコンデンサ１６２および第２のコンデンサ１６４によるコンデンサ放電電流波形図である。なお、下記中括弧内の「Ｔ数字」はタイミングを表す。
図３において、点灯スイッチ３をオンすると（Ｔ１）、平滑コンデンサ１１３、第１のコンデンサ１６２および第２のコンデンサ１６４への充電が始まり、図１中のＡ点，Ｂ点，Ｃ点の各電位が増加する。放電灯４がブレイクダウン（Ｔ２）するまでの間、Ｂ点の電位は、第１のコンデンサ１６２の充電電流が流れ終わるとＡ点の電位と同じになり、Ｃ点の電位は、第２のコンデンサ１６４の充電電流が流れ終わると接地（アース）の電位と同じになる。
【００２２】
従って、２端子サイリスタ１６７に印加される電圧は２００Ｖである。イグナイタ１５が高電圧パルスを発生して放電灯４がブレイクダウンすると（Ｔ２）、平滑コンデンサ１１３の放電が始まり、Ａ点の電位は減少する。Ｂ点の電位は第１の抵抗１６１を通して放電するため、Ａ点の電位より緩やかに減少を開始する。Ｃ点の電位は、Ａ点の電位から第２のコンデンサ１６４の充電電荷分の差があるために、Ａ点の電位変化量だけ増加する。このとき、Ａ点の電位が「−２００Ｖ」から０Ｖまで瞬間的に変化したとすると、Ｃ点の電位は瞬間的に２００Ｖまで増加する。２端子サイリスタ１６７に印加される電圧はＣ点とＢ点の電位に等しく、２端子サイリスタ１６７がブレイクダウンしなければ印加される電位差は４００Ｖに相当する。２端子サイリスタ１６７に、例えば電位差２２０Ｖ以上でブレイクダウンしてオンする特性のものを使用すれば、放電灯４のブレイクダウンの直後、２端子サイリスタ１６７はオンして、４００Ｖ相当に充電されたコンデンサ電流が放電され（テイクオーバー電流）、放電灯４がグロー放電からアーク放電へ移行するのに十分な電気エネルギーが供給される。
【００２３】
以上の説明では、テイクオーバー回路１６を形成する充放電用のコンデンサを第１のコンデンサ１６２と第２のコンデンサ１６４の２個としたが、この２個に限るものではなく、複数個設けた構成としてもよい。この場合、抵抗とコンデンサとからなる直列回路を図１のように複数並列に接続しておき、充電時にはこれらコンデンサを並列に充電し、放電時にはこれらコンデンサを直列に接続するようにスイッチング素子を各コンデンサ間、さらには所要箇所（例えばコンデンサと直列）に設けて構成すればよい。
【００２４】
以上のように、この実施の形態１によれば、放電灯４のブレイクダウンがブレイクダウン検出回路１６６により検出される前は、第１のコンデンサ１６２および第２のコンデンサ１６４を並列に接続してＤＣ／ＤＣコンバータ１１より充電し、ブレイクダウンがブレイクダウン検出回路１６６により検出されたときは、このブレイクダウン検出回路１６６からの信号でスイッチング素子１６５がオンし、第１のコンデンサ１６２と第２のコンデンサ１６４とを直列に接続して放電するので、ＤＣ／ＤＣコンバータ１１の出力（２００Ｖ）が低くても放電時にはこの２倍の高い電源電圧（４００Ｖ）と等価な大きな電気エネルギーが得られ、これにより、放電灯４の放電がグロー放電からアーク放電へ移行するときに十分な電気エネルギーを放出できる。
【００２５】
以下、従来と対比して上記効果を説明する。
図４は従来のテイクオーバー回路図であり、１個のコンデンサ２１とこれに直列に接続した抵抗２２とで構成している。
この図４の構成の場合、コンデンサ２１はこの１個であるから抵抗２２を介し充電される電圧と、放電時の電圧とは同電圧である。従って、放電灯４との関係から放電電圧が例えば４００Ｖ必要な場合、このコンデンサ２１にはＤＣ／ＤＣコンバータの出力電圧を４００Ｖまで昇圧して充電しなければならない。この充電に関し、図４のＡ’点の電位を図３（ａ）に記す。
【００２６】
上記に対し、図１の構成の場合、第１のコンデンサ１６２および第２のコンデンサ１６４の２個のコンデンサは、充電時には並列接続となり、放電時には直列接続になるため、図４の従来例に対し、ＤＣ／ＤＣコンバータの出力電圧が２分の１でも同等の４００Ｖ相当の放電電圧が得られる。このように電源電圧を低く設定できることにより、ＤＣ／ＤＣコンバータ１１の負荷を低減するとともに、Ｈ形ブリッジ回路１２のＦＥＴ１２１等に耐圧の低いものを使用することができ、これにより、部品や回路のサイズの小型化およびコストの低減が可能となる。
また、以上の説明ではコンデンサの数を２個としたが、この数を３個以上のＮ個とした場合、所要放電電圧を上記同様の４００ＶとしたときのＤＣ／ＤＣコンバータの出力電圧は（４００／Ｎ）Ｖとなり、一層の低電圧化が可能となる。
【００２７】
また、放電灯点灯装置１のテイクオーバー回路１６を構成するスイッチング素子１６５およびブレイクダウン検出回路１６６を、２端子サイリスタ（サイダック）１６７で構成することにより、放電灯４のブレイクダウン検出およびこの検出に基づく第１のコンデンサ１６２と第２のコンデンサ１６４との直列接続が、部品点数最小の簡易な構成で実現でき、回路の小型化に寄与できる。
【００２８】
また、ＤＣ／ＤＣコンバータ１１の出力電圧を低く設定できることにより、第１のコンデンサ１６２および第２のコンデンサ１６４の品種として、従来より使用しているフィルムコンデンサの他に、低耐電圧のために高電圧出力の回路では使用しにくい電解コンデンサの使用も可能となり、電荷量の多い充電が容易となる。
【００２９】
実施の形態２．
図５はこの発明の実施の形態２による放電灯点灯装置のテイクオーバー回路１６Ｂの回路図であり、前記図２で説明したテイクオーバー回路１６Ａの変形に属するものである。
なお、図１と同一のものについては同一符号を付し、それらの説明は省略する。
図５において、このテイクオーバー回路１６Ｂは、図１のスイッチング素子１６５およびブレイクダウン検出回路１６６として、３端子のサイリスタ１６８を利用したものであり、第１のコンデンサ１６２と第２のコンデンサ１６４との直列接続をこの３端子のサイリスタ１６８で行うようにしたものである。また、抵抗１６９はこのサイリスタ１６８を駆動する駆動回路を形成する。
【００３０】
このテイクオーバー回路１６Ｂは以下のように動作する。
図３等で説明したように、放電灯４のブレイクダウン前においては、Ａ点とＢ点の電位は同電位であり、これにより、サイリスタ１６８のゲート（ｇ）とカソード（ｋ）間も略同電位となってサイリスタ１６８はオフしており、第１のコンデンサ１６２と第２のコンデンサ１６４とは非接続状態にある。
ここで放電灯４がブレイクダウンすると、Ａ点の電位はＢ点の電位に対し相対的に正（＋）となる。このことは抵抗１６９を介したサイリスタ１６８のゲート（ｇ）がカソード（ｋ）に対し正（＋）になることを意味し、この電位関係によりサイリスタ１６８はブレイクダウンの直後にオンとなり、アノード（ａ）とカソード（ｋ）間が導通状態となる。これにより、第１のコンデンサ１６２と第２のコンデンサ１６４とが直列に接続され、以下実施の形態１で説明した通り、４００Ｖ相当に充電されたコンデンサ電流が放電され、放電灯４がグロー放電からアーク放電へ移行するのに十分な電気エネルギーが供給されることとなる。
【００３１】
次に、図６について説明する。
図６はこの発明の実施の形態２による放電灯点灯装置のテイクオーバー回路１６Ｃの回路図であり、前記図５で説明したテイクオーバー回路１６Ｂの変形である。
なお、図１と同一のものについては同一符号を付し、それらの説明は省略する。
図６において、このテイクオーバー回路１６Ｃは、図１のスイッチング素子１６５およびブレイクダウン検出回路１６６として、ＮＰＮ形のトランジスタ１７０を利用したものであり、第１のコンデンサ１６２と第２のコンデンサ１６４との直列接続をこのトランジスタ１７０で行うようにしたものである。また、ベース抵抗１７１はこのトランジスタ１７０を駆動する駆動回路を形成する。
【００３２】
このテイクオーバー回路１６Ｃは以下のように動作する。
図５の説明と同様に、放電灯４のブレイクダウン前においては、Ａ点とＢ点の電位は同電位であり、これにより、トランジスタ１７０のベース（ｂ）とエミッタ（ｅ）間も略同電位となってトランジスタ１７０はオフしており、第１のコンデンサ１６２と第２のコンデンサ１６４とは非接続状態にある。
ここで放電灯４がブレイクダウンすると、Ａ点の電位はＢ点の電位に対し相対的に正（＋）となる。このことは抵抗１７１を介したトランジスタ１７０のベース（ｂ）がエミッタ（ｅ）に対し正（＋）になることを意味し、この電位関係によりトランジスタ１７０はブレイクダウンの直後にオンとなり、コレクタ（ｃ）とエミッタ（ｅ）間が導通状態となる。これにより、第１のコンデンサ１６２と第２のコンデンサ１６４とが直列に接続され、以下、図５と同様となる。
【００３３】
次に、図７について説明する。
図７はこの発明の実施の形態２による放電灯点灯装置のテイクオーバー回路１６Ｄの回路図であり、前記図６で説明したテイクオーバー回路１６Ｃの変形である。
なお、図１と同一のものについては同一符号を付し、それらの説明は省略する。
図７において、このテイクオーバー回路１６Ｄは、図１のスイッチング素子１６５およびブレイクダウン検出回路１６６として、Ｎ形（チャンネル）のＦＥＴ１７２を利用したものであり、第１のコンデンサ１６２と第２のコンデンサ１６４との直列接続をこのＦＥＴ１７２で行うようにしたものである。また、ゲート抵抗１７３はこのＦＥＴ１７２を駆動する駆動回路を形成する。
【００３４】
このテイクオーバー回路１６Ｄは以下のように動作する。
図５の説明と同様に、放電灯４のブレイクダウン前においては、Ａ点とＢ点の電位は同電位であり、これにより、ＦＥＴ１７２のゲート（ｇ）とソース（ｓ）間も略同電位となってＦＥＴ１７２はオフしており、第１のコンデンサ１６２と第２のコンデンサ１６４とは非接続状態にある。
ここで放電灯４がブレイクダウンすると、Ａ点の電位はＢ点の電位に対し相対的に正（＋）となる。このことは抵抗１７３を介したＦＥＴ１７２のゲート（ｇ）がソース（ｓ）に対し正（＋）になることを意味し、この電位関係によりＦＥＴ１７２はブレイクダウンの直後にオンとなり、ドレイン（ｄ）とソース（ｓ）間が導通状態となる。これにより、第１のコンデンサ１６２と第２のコンデンサ１６４とが直列に接続され、以下、図５と同様となる。
【００３５】
以上のように、この実施の形態２によれば、放電灯点灯装置１のテイクオーバー回路１６を構成するスイッチング素子１６５およびブレイクダウン検出回路１６６を、サイリスタ１６８、ＮＰＮトランジスタ１７０またはＮ形ＦＥＴ１７２と、能動素子を使用しないそれぞれの駆動回路とで構成することにより、放電灯４のブレイクダウン検出およびこの検出に基づく第１のコンデンサ１６２と第２のコンデンサ１６４との直列接続が、部品点数の比較的少ない簡易な構成で実現でき、回路の小型化に寄与できる。
【００３６】
実施の形態３．
図８はこの発明の実施の形態３による放電灯点灯装置のテイクオーバー回路１６Ｅの回路図であり、図１のスイッチング素子１６５およびブレイクダウン検出回路１６６の双方を、能動素子を用いて構成したものである。
なお、図１と同一のものについては同一符号を付し、それらの説明は省略する。
図８において、このテイクオーバー回路１６Ｅは、第１のコンデンサ１６２と第２のコンデンサ１６４とを直列に接続するスイッチング素子１６５（図１）としてＮ形（チャンネル）のＦＥＴ１７４を利用し、このＦＥＴ１７４の駆動回路となるブレイクダウン検出回路１６６はＮＰＮ形のトランジスタ１７５、ベース抵抗１７６、ベースコンデンサ１７７およびコレクタ抵抗１７８で構成している。また、このトランジスタ１７５の駆動用として直流電源１７９を使用している。
【００３７】
このテイクオーバー回路１６Ｅは以下のように動作する。
放電灯４のブレイクダウン前においては、ベース抵抗１７６およびベースコンデンサ１７７を介したベース（ｂ）電位がエミッタ（ｅ）電位（＝Ａ点電位）に対し順方向バイアスとなり、トランジスタ１７５はオンし、直流電源１７９からコレクタ抵抗１７８を経てコレクタ電流が流れている。この状態のコレクタ電圧によりＦＥＴ１７４はオフしており、第１のコンデンサ１６２と第２のコンデンサ１６４とは非接続状態にある。
ここで放電灯４がブレイクダウンすると、図３で説明したようにＡ点の電位は減少する。換言すると、このブレイクダウン前との比較ではＡ点の電位は高くなる。このとき、ベース抵抗１７６およびベースコンデンサ１７７を介したベース（ｂ）側の電位は変化しないので、上記Ａ点の電位の減少はベース（ｂ）電位との関係でエミッタ（ｅ）の電位を上昇させ、これによりトランジスタ１７５はオフとなる。このトランジスタ１７５のオフにより、コレクタ（ｃ）電位が高くなり、ＦＥＴ１７４はオンとなる。このＦＥＴ１７４のオンにより第１のコンデンサ１６２と第２のコンデンサ１６４とが直列に接続され、以下、前記同様である。
【００３８】
次に、図９について説明する。
図９はこの発明の実施の形態３による放電灯点灯装置のテイクオーバー回路１６Ｆの回路図であり、前記図８の変形であって第１のコンデンサ１６２と第２のコンデンサ１６４とを直列に接続するスイッチング素子１６５としてのＦＥＴ１７４をＮＰＮ形のトランジスタ１８０に置換し、このトランジスタ１８０の駆動回路となるブレイクダウン検出回路１６６は図８と同じ構成としたものである。
なお、図１と同一のものについては同一符号を付し、それらの説明は省略する。また、同じ構成のトランジスタ１８０の駆動回路についても同一符号を付し、それらの説明は省略する。
【００３９】
このテイクオーバー回路１６Ｆの動作は図８と基本的に同様であり、放電灯４のブレイクダウン前においては、トランジスタ１７５のコレクタ電圧によりトランジスタ１８０はオフしており、第１のコンデンサ１６２と第２のコンデンサ１６４とは非接続状態にある。
ここで放電灯４がブレイクダウンすると、トランジスタ１７５のコレクタ（ｃ）電位が高くなり、トランジスタ１８０はオンとなる。このトランジスタ１８０のオンにより第１のコンデンサ１６２と第２のコンデンサ１６４とが直列に接続され、以下、前記同様である。
【００４０】
次に、図１０について説明する。
図１０はこの発明の実施の形態３による放電灯点灯装置のテイクオーバー回路１６Ｇの回路図であり、図８の構成を変形したものである。
具体的には、図８の直流電源１７９の代りにツェナーダイオード１８１、抵抗１８２およびコンデンサ１８３とで直流電源回路を構成した点、ダイオード１８４、ＮPＮ形のトランジスタ１８５およびＰＮＰ形のトランジスタ１８６を設けている点である。
直流電源回路を構成するツェナーダイオード１８１は、直流電源１７９の直流出力電圧値をツェナー電圧とする特性のものであり、このツェナーダイオード１８１に抵抗１８２を介し正出力側の電圧を印加することにより、ツェナーダイオード１８１の負極端側にはＡ点に対し正（＋）の安定化された直流電圧が得られる。ツェナーダイオード１８１に並列のコンデンサ１８３はノイズ成分等を吸収し、直流電圧を安定化している。
この直流電圧を電源としてトランジスタ１７５等の駆動回路が作動する。
【００４１】
ダイオード１８４は、例えばＡ点の急激な電圧変動を吸収し、トランジスタ１７５を保護する。
また、トランジスタ１８５とトランジスタ１８６とはバッファアンプ回路を形成し、トランジスタ１７５のコレクタ出力を増幅してスイッチング用のＦＥＴ１７４を駆動することにより、このＦＥＴ１７４の応答を早めている。
上記説明以外の基本動作については図８と同様であり、その動作説明は省略する。
【００４２】
以上のように、この実施の形態３によれば、放電灯点灯装置１のテイクオーバー回路１６を構成するスイッチング素子１６５およびブレイクダウン検出回路１６６を、Ｎ形ＦＥＴまたはＮＰＮトランジスタのスイチング素子と、能動素子を使用したそれぞれの駆動回路とで構成することにより、放電灯４のブレイクダウン検出およびこの検出に基づく第１のコンデンサ１６２と第２のコンデンサ１６４との直列接続が、能動素子を使用した駆動回路のもとで精度よく行われることとなる。
【００４３】
特にテイクオーバー回路１６Ｇにおいては、駆動回路用の直流電源回路をツェナーダイオード１８１等で構成したので、別個独立の駆動回路用電源を不要にできる。
さらに、このテイクオーバー回路１６Ｇにおいては、トランジスタ１８５とトランジスタ１８６とで形成したバッファアンプ回路を設けているので、スイッチング用のＦＥＴ１７４の応答を早めることができる。
【００４４】
実施の形態４．
図１１はこの発明の実施の形態４による放電灯点灯装置の全体構成図である。
なお、図１と同一のものについては同一符号を付し、それらの説明は省略する。
図１１に示す構成は接地に対し正負の直流電圧を利用するようにしたものであり、このために、図１では正出力としたラインＬの接地を外し、このラインＬに直流電源２からの第１の直流電圧（例えば１２Ｖ）を印加したものである。この場合、ＤＣ／ＤＣコンバータ１１の整流ダイオード１１２の負極側は図１と同様に接地する。
上記構成により、直流電源２とＤＣ／ＤＣコンバータ１１の直流出力（第２の直流電圧）とが直列となり、双方を加算した電圧（第３の直流電圧）がラインＬとＡ点間の電圧となる。従って、直流電源２からの第１の直流電圧が「＋１２Ｖ」であれば、ＤＣ／ＤＣコンバータ１１の直流出力を「−１８８Ｖ」にすれば図１と同様の２００Ｖの電圧がテイクオーバー回路１６およびＨ型ブリッジ回路１２等へ供給され、これらの動作としては図１と同様になる。
【００４５】
図１２はこの発明の実施の形態４による放電灯点灯装置のテイクオーバー回路１６Ｈの回路図であり、図１１の構成により図８または図９で設けていた直流電源１７９を不要としたものである。
なお、図１と同一のものについては同一符号を付し、それらの説明は省略する。
このテイクオーバー回路１６Ｈは前記より、接地に対し「＋１２Ｖ」の電源を有しており、この電源が図８等の直流電源１７９に代り、駆動回路の電源となる。この駆動回路はＮＰＮ形のトランジスタ１８７、ベース抵抗１８８、ベースコンデンサ１８９およびコレクタ抵抗１９０で構成される。
また、上記駆動回路でスイッチングされ、第１のコンデンサ１６２と第２のコンデンサ１６４とを直列に接続するスイッチング素子１６５は、トランジスタ１８７のコレクタ出力とレベルを整合させるためにＰ形（チャンネル）のＦＥＴ１９１を利用している。なお、このＦＥＴ１９１は周知のように、ソース（ｓ）に対し、ゲート（g）が負電位（例えば「−１０Ｖ」）でオンとなる。
【００４６】
以上の構成によるテイクオーバー回路１６Ｈは以下のように動作する。
放電灯４のブレイクダウン前においては、ベース（ｂ）とエミッタ（ｅ）間は順方向バイアス状態にはないのでトランジスタ１８７はオフしている。この状態のコレクタ電圧によりＦＥＴ１９１はオフしており、第１のコンデンサ１６２と第２のコンデンサ１６４とは非接続状態にある。
ここで放電灯４がブレイクダウンすると、Ａ点の電位変動がコンデンサ１８９および抵抗１８８によりトランジスタ１８７のベース（b）電位を上昇させ、ベース（ｂ）とエミッタ（ｅ）間が順方向バイアス状態となる。これによりトランジスタ１８７はオンとなる。このトランジスタ１８７のオンにより、コレクタ（ｃ）電位が低下し、ＦＥＴ１９１をオンさせる。このＦＥＴ１９１のオンにより第１のコンデンサ１６２と第２のコンデンサ１６４とが直列に接続され、以下、前記同様である。
【００４７】
次に、図１３について説明する。
図１３はこの発明の実施の形態４による放電灯点灯装置のテイクオーバー回路１６Ｉの回路図であり、図１２のＦＥＴ１９１をＰＮＰ形のトランジスタ１９２に置換し、このトランジスタ１９２の駆動回路となるブレイクダウン検出回路１６６は図１２同じ構成としたものである。
なお、図１と同一のものについては同一符号を付し、それらの説明は省略する。また、同じ構成のトランジスタ１９２の駆動回路についても同一符号を付し、それらの説明は省略する。
【００４８】
このテイクオーバー回路１６Ｉの動作は図１２と基本的に同様であり、放電灯４のブレイクダウン前においては、トランジスタ１８７のオフによりトランジスタ１９２はオフしており、第１のコンデンサ１６２と第２のコンデンサ１６４とは非接続状態にある。
放電灯４がブレイクダウンすると、トランジスタ１８７のオンにより、トランジスタ１９２をオンさせる。このトランジスタ１９２のオンにより第１のコンデンサ１６２と第２のコンデンサ１６４とが直列に接続され、以下、前記同様である。
【００４９】
次に、図１４について説明する。
図１４はこの発明の実施の形態４による放電灯点灯装置のテイクオーバー回路１６Ｊの回路図であり、図１２のＰ形のＦＥＴ１９１をＮ形のＦＥＴ１７４（図８）に置換し、このＦＥＴ１７４の駆動回路となるブレイクダウン検出回路１６６は図１２と同じ構成部分と、さらにレベルシフタを設けて構成したものである。
なお、図１と同一のものについては同一符号を付し、それらの説明は省略する。また、図１２と同じ構成の駆動回路（トランジスタ１８７等）についても同一符号を付し、それらの説明は省略する。
【００５０】
スイッチング素子としてＮ形のＦＥＴ１７４を利用した場合、図１２のトランジスタ１８７等で構成した駆動回路ではＦＥＴ１７４とレベル関係が整合しないためにこのＦＥＴ１７４をスイッチングすることはできない。このレベル関係を整合させるためのものがレベルシフタである。
このレベルシフタは、ＰＮＰ形のトランジスタ１９３、エミッタ抵抗１９４、コレクタ抵抗１９５で構成し、図示のように、トランジスタ１８７のコレクタ（ｃ）とＦＥＴ１７４のゲート（ｇ）と間に設ける。
なお、このレベルシフタは定電流回路を形成している。即ち、トランジスタ１８７がオンすると、トランジスタ１９３のベース（ｂ）は略接地電位で固定となり、この固定電位によりエミッタ抵抗１９４の両端電圧は一定となり、従って、この抵抗１９４に流れるエミッタ電流（＝略コレクタ電流）は一定となる。
【００５１】
このテイクオーバー回路１６Ｊの動作は図１２と基本的に同様であり、放電灯４のブレイクダウン前においては、トランジスタ１８７のオフによりトランジスタ１９３はオフし、このオフによりトランジスタ１９３のコレクタ（ｃ）の電位は低く、これによりＦＥＴ１７４はオフとなり、第１のコンデンサ１６２と第２のコンデンサ１６４とは非接続状態にある。
放電灯４がブレイクダウンすると、トランジスタ１８７のオンにより、トランジスタ１９３をオンさせる。このトランジスタ１９３のオンによりコレクタ（c）の電位が高くなり、ＦＥＴ１７４はオンし、第１のコンデンサ１６２と第２のコンデンサ１６４とが直列に接続され、以下、前記同様である。
【００５２】
次に、図１５について説明する。
図１５はこの発明の実施の形態４による放電灯点灯装置のテイクオーバー回路１６Ｋの回路図であり、図１４のＦＥＴ１７４をＮＰＮ形のトランジスタ１８０（図９）に置換し、このトランジスタ１８０の駆動回路となるブレイクダウン検出回路１６６は図１４と同じ構成としたものである。
なお、図１と同一のものについては同一符号を付し、それらの説明は省略する。また、図１４と同じ構成の駆動回路（トランジスタ１８７等）についても同一符号を付し、それらの説明は省略する。
また、レベルシフタ（トランジスタ１９３等）はコレクタ抵抗１９６の接続を変えているが、これ以外は図１４と同じ構成であり、その動作についても図１４と同じである。
【００５３】
このテイクオーバー回路１６Ｋはスイッチング動作するものをＦＥＴ１７４からトランジスタ１８０に変えたものであり、従って、全体の動作は図１４と基本的に同様である。
【００５４】
以上のように、この実施の形態４によれば、放電灯点灯装置１のテイクオーバー回路１６を構成するスイッチング素子１６５およびブレイクダウン検出回路１６６を、Ｐ形またはＮ形のＦＥＴ、ＰＮＰまたはＮＰＮのトランジスタによるスイチング素子と、能動素子を使用したそれぞれの駆動回路と、この駆動回路用に利用できる直流電源（第１の直流電圧）とを備えて構成することにより、放電灯４のブレイクダウン検出およびこの検出に基づく第１のコンデンサ１６２と第２のコンデンサ１６４との直列接続が、能動素子を使用した駆動回路のもとで精度よく行われることとなる。また、第１の直流電圧の利用により別個独立の駆動回路用電源を不要にでき、回路を簡素化できる。
【００５５】
実施の形態５．
図１６および図１７はこの発明の実施の形態５による放電灯点灯装置のテイクオーバー回路１６Ｌおよびテイクオーバー回路１６Ｍの回路図であり、前記図６のテイクオーバー回路１６Ｃおよび図７のテイクオーバー回路１６Ｄに電流制限回路を形成する電流制限用の抵抗１９７を設けたものである。
図示のように、この電流制限用抵抗１９７はスイッチング素子のトランジスタ１７０またはＦＥＴ１７２と直列に設け、これらスイッチング素子のオン時の瞬間的な過電流を抑制し、これにより、放電灯４に一定量のテイクオーバー電流を供給するとともに、過大な電流の通電による放電灯４の劣化を防止する。この他の基本動作は図６または図７で説明した通りである。
なお、電流制限用抵抗１９７は、図１６ではトランジスタ１７０のエミッタ（ｅ）側に設け、図１７ではＦＥＴ１７２のソ−ス（ｓ）側に設けているが、それぞれコレクタ（ｃ）側またはドレイン（ｄ）側に設けてもよい。
【００５６】
上記説明の電流制限用抵抗１９７の付加は、図６の放電灯点灯装置のテイクオーバー回路１６Ｃおよび図１７のテイクオーバー回路１６Ｄに限るものではなく、図１の基本構成および前述までの全てのテイクオーバー回路（１６Ａ〜１６Ｋ）に適用してもよい。
【００５７】
以上のように、この実施の形態５によれば、例えばトランジスタ１７０またはＦＥＴ１７２等のスイッチング素子と直列に電流制限用抵抗１９７は設けて構成することにより、これらスイッチング素子のオン時の瞬間的な過電流を抑制し、これにより、放電灯４に一定量のテイクオーバー電流を供給することができるとともに、過大な電流の通電による放電灯４の劣化を防止することができる。
【００５８】
実施の形態６．
図１８はこの発明の実施の形態６による放電灯点灯装置の全体構成図であり、図１の構成に対し断続回路１９８を設けたものである。
なお、図１と同一のものについては同一符号を付し、それらの説明は省略する。
図１８において、断続回路１９８はブレイクダウン検出回路１６６と直列に設け、スイッチング素子１６５をオンする際には一度にオンするのではなく、オンとオフとを交互に繰り返す断続オンオフにする。
図１等で既に説明したが、ＤＣ／ＤＣコンバータ１１により並列に充電された第１のコンデンサ１６２および第２のコンデンサ１６４はスイッチング素子１６５のオンにより直列に接続され、放電する。
【００５９】
図１９（ａ）は第１のコンデンサ１６２および第２のコンデンサ１６４の放電の様子を示した放電図であり、Ｃ１は断続回路１９８を設けない場合の放電を示し、Ｃ２は断続回路１９８を設けた場合の放電を示す。このＣ２上の鋸歯状的な増減変動が断続回路１９８による放電の断続を示す。
この図１９（ａ）から理解できるように、断続回路１９８を設けた場合の放電Ｃ２の方が断続回路１９８を設けない場合の放電Ｃ１より放電が長く持続する。
また、第１のコンデンサ１６２および第２のコンデンサ１６４がスイッチング素子１６５のオンにより放電する際のこれらコンデンサによる放電電流をＩｔ、平滑コンデンサ１１３による放電電流をＩｃ、放電灯４に流れる電流をＩｂとした場合（図１８参照）、これら各電流を図示すると図１９（ｂ）のようになる。
【００６０】
図１９（ｂ）は断続回路１９８を設けない場合の上記Ｉｔ、ＩｃおよびＩｂの電流波形を示す図である。図示のように、放電灯４に流れる電流Ｉｂはコンデンサによる放電電流Ｉｔと平滑コンデンサ１１３による放電電流Ｉｃの和である。この電流Ｉｂの電流期間をＴ１とする。
【００６１】
また、図１９（ｃ）は断続回路１９８を設けた場合の放電灯４に流れる電流Ｉｂの波形図である。
図１９（ｃ）に示すように、スイッチング素子１６５を断続回路１９８により断続してオンオフすることにより、放電灯４に流れる電流Ｉｂの先頭近辺は断続オンオフにより増減変動した波形となっている。この断続オンオフした場合の電流期間をＴ２とすると、Ｔ２はＴ１より長い（Ｔ２＞Ｔ１）期間となる。このため、放電灯に流れる電流は、図１９（ｂ）に比べて、最大値は小さく、幅広くなり電気エネルギーの利用効率を改善する。
また、上記の「Ｔ２＞Ｔ１」については、図１９（ａ）で説明したように、放電Ｃ２の方が放電Ｃ１より放電が長く持続することからも裏付けられる。
【００６２】
また、断続回路１９８によりスイッチング素子１６５を断続オンオフすることは、図１６または図１７で説明した電流制限の機能にもなる。
なお、断続回路１９８による断続オンオフの周期または回数等については放電灯４の特性に応じて設定すればよい。
【００６３】
上記説明では断続回路１９８をブレイクダウン検出回路１６６と別個・直列に設けたが、この断続回路１９８の断続機能をブレイクダウン検出回路１６６に持たせ、このブレイクダウン検出回路１６６から断続オンオフの信号をスイッチング素子１６５へ出力するようにしてもよい。
【００６４】
図２０は以上説明の断続回路１９８を適用したテイクオーバー回路１６Ｎの回路図である。このテイクオーバー回路１６Ｎは図２で説明したテイクオーバー回路１６Ａに断続回路１９８を設けたものであり、図２０に示すように、２端子サイリスタ１６７と直列に断続回路１９８を設けている。この断続回路１９８を設けたときの動作および効果は上記図１８および図１９で説明したことと同様の動作である。
【００６５】
この断続回路１９８の適用はテイクオーバー回路１６Ａに限るものではなく、この他の全てのテイクオーバー回路（１６Ｂ〜１６Ｋ）に適用できることはいうまでもない。
【００６６】
以上のように、この実施の形態６によれば、ブレイクダウン検出回路１６６と直列に断続回路１９８を設け、スイッチング素子１６５をオンする際には一度にオンしないで、オンとオフとを交互に繰り返す断続オンオフにするように構成することにより、放電灯４に流れる電流期間を長くすることができ、これにより第１のコンデンサ１６２および第２のコンデンサ１６４の放電による電気エネルギーの利用効率を改善することができる。
また、この断続回路１９８によりスイッチング素子１６５を断続オンオフすることにより、実施の形態５の電流制限機能と同様にスイッチング素子１６５のオン時の瞬間的な過電流を抑制することができる。
【図面の簡単な説明】
【００６７】
【図１】この発明の実施の形態１による放電灯点灯装置の全体構成図である。
【図２】この発明の実施の形態１による放電灯点灯装置のテイクオーバー回路１６Ａの回路図である。
【図３】この発明の実施の形態１による放電灯点灯装置のタイミング図である。
【図４】この発明の実施の形態１による放電灯点灯装置の効果説明のために引用した従来のテイクオーバー回路図である。
【図５】この発明の実施の形態２による放電灯点灯装置のテイクオーバー回路１６Ｂの回路図である。
【図６】この発明の実施の形態２による放電灯点灯装置のテイクオーバー回路１６Ｃの回路図である。
【図７】この発明の実施の形態２による放電灯点灯装置のテイクオーバー回路１６Ｄの回路図である。
【図８】この発明の実施の形態３による放電灯点灯装置のテイクオーバー回路１６Ｅの回路図である。
【図９】この発明の実施の形態３による放電灯点灯装置のテイクオーバー回路１６Ｆの回路図である。
【図１０】この発明の実施の形態３による放電灯点灯装置のテイクオーバー回路１６Ｇの回路図である。
【図１１】この発明の実施の形態４による放電灯点灯装置の全体構成図である。
【図１２】この発明の実施の形態４による放電灯点灯装置のテイクオーバー回路１６Ｈの回路図である。
【図１３】この発明の実施の形態４による放電灯点灯装置のテイクオーバー回路１６Ｉの回路図である。
【図１４】この発明の実施の形態４による放電灯点灯装置のテイクオーバー回路１６Ｊの回路図である。
【図１５】この発明の実施の形態４による放電灯点灯装置のテイクオーバー回路１６Ｋの回路図である。
【図１６】この発明の実施の形態５による放電灯点灯装置のテイクオーバー回路１６Ｌの回路図である。
【図１７】この発明の実施の形態５による放電灯点灯装置のテイクオーバー回路１６Ｍの回路図である。
【図１８】この発明の実施の形態６による放電灯点灯装置の全体構成図である。
【図１９】この発明の実施の形態６による放電灯点灯装置の断続回路に関する説明図である。
【図２０】この発明の実施の形態６による放電灯点灯装置のテイクオーバー回路１６Ｎの回路図である。
【符号の説明】
【００６８】
１  放電灯点灯装置、２  直流電源、３  点灯スイッチ、４  放電灯、１１  ＤＣ／ＤＣコンバータ、１２  Ｈ形ブリッジ回路、１３  Ｈ形ブリッジドライバ、１４  マイクロコンピュータ、１５  イグナイタ、１６  テイクオーバー回路、１１１  フライバックトランス、１１２  整流ダイオード、１１３  平滑コンデンサ、１１４，１２１，１２２，１２３，１２４  ＦＥＴ、１６１，１６３  抵抗、１６２，１６４  コンデンサ、１６５  スイッチング素子、１６６  ブレイクダウン検出回路、１９８  断続回路。
【図１】
2005209410.tif 000003
【図２】
2005209410.tif 000004
【図３】
2005209410.tif 000005
【図４】
2005209410.tif 000006
【図５】
2005209410.tif 000007
【図６】
2005209410.tif 000008
【図７】
2005209410.tif 000009
【図８】
2005209410.tif 000010
【図９】
2005209410.tif 000011
【図１０】
2005209410.tif 000012
【図１１】
2005209410.tif 000013
【図１２】
2005209410.tif 000014
【図１３】
2005209410.tif 000015
【図１４】
2005209410.tif 000016
【図１５】
2005209410.tif 000017
【図１６】
2005209410.tif 000018
【図１７】
2005209410.tif 000019
【図１８】
2005209410.tif 000020
【図１９】
2005209410.tif 000021
【図２０】
2005209410.tif 000022